(57)【要約】【課題】全体の外形がほぼ直線状を呈し、占めるスペースが小さく、携帯及び収納が容易となるトルク値表示レンチを提供する。【解決手段】トルク値表示区域を反時計方向側区域Ａ１と時計方向側区域Ａ２とに分ける半径方向ラインＬ、回転センターラインＸを中心として旋回可能な引き部３１及び引き部３１と接続する支持部３２を有する本体３０と、支持部３２と連接する第１の端４１、引き部３１の回転センターラインＸから離れて位置し、第１の端４１との間に軸心線Ｃが反時計方向側区域Ａ１に位置する変形部４３が形成され、ユーザが引くことが可能である第２の端４２を有するトルクロッド４０と、本体３０とトルクロッド４０との間に位置し、変形部４３が反時計方向側区域Ａ１から時計方向側区域Ａ２へ弾性的に曲がるときに、ユーザはトルク値を読み取り可能である表示装置５０と、を備える。【選択図】図８
0003211263.tif 000002
【実用新案登録請求の範囲】
【請求項１】
回転センターラインに垂直であり、前記回転センターラインを通過しトルク値表示区域を反時計方向側区域と時計方向側区域とに分ける半径方向ライン、前記回転センターラインを中心として工作物を駆動して旋回させることが可能な引き部、及び、前記引き部と接続する支持部、を有する本体と、
前記支持部と接続する第１の端、及び、前記引き部の前記回転センターラインから離れた方向に位置し、前記第１の端との間に前記反時計方向側区域に位置する軸心線を有する変形部が形成され、ユーザが引くと前記変形部が前記反時計方向側区域から前記時計方向側区域へ弾性的に曲がる第２の端、を有するトルクロッドと、
前記本体と前記トルクロッドとの間に位置し、前記トルクロッドの前記変形部が前記反時計方向側区域から前記時計方向側区域へ弾性的に曲がるときにユーザがトルク値を読み取り可能である表示装置と、
を備えることを特徴とするトルク値表示レンチ。
【請求項２】
前記変形部の前記軸心線は、前記本体の前記半径方向ラインに重ならないように平行し、前記反時計方向側区域に位置することを特徴とする、請求項１に記載のトルク値表示レンチ。
【請求項３】
前記支持部は、前記半径方向ラインに対して偏心穴を有し、前記偏心穴の軸心線は前記反時計方向側区域に位置し、前記トルクロッドの前記第１の端は前記偏心穴に結合されていることを特徴とする、請求項２に記載のトルク値表示レンチ。
【請求項４】
前記トルクロッドは直線状を呈することを特徴とする、請求項３に記載のトルク値表示レンチ。
【請求項５】
前記支持部は、更に、前記偏心穴と接続する拡大溝を有し、前記拡大溝により、前記トルクロッドは、前記反時計方向側区域から前記時計方向側区域へ弾性的に曲がり可能であることを特徴とする、請求項３に記載のトルク値表示レンチ。
【請求項６】
前記支持部は、前記引き部と一体であり、前記半径方向ラインに沿って延び、前記半径方向ラインに沿って延びる長さが前記引き部の前記半径方向ラインに沿って延びる長さより長く、又は同じであり、前記引き部は、一方向爪車、方向切替爪車、開口端、又はソケットであり、前記支持部と前記トルクロッドの間には、更に、位置決め部材が設けられていることを特徴とする、請求項５に記載のトルク値表示レンチ。
【請求項７】
前記本体は、更に、中空のケースを有し、前記ケースは、前記支持部を覆うように前記半径方向ラインに沿って延び、前記トルクロッドの前記第２の端は、前記ケースから露呈し、前記表示装置は、前記ケースに設けられており、前記トルクロッドの前記変形部と接続することを特徴とする、請求項１に記載のトルク値表示レンチ。
【請求項８】
前記ケースの前記引き部から遠い側の端部に剛性止めブロックが設けられており、前記剛性止めブロックは案内溝を有し、前記トルクロッドの前記第２の端は、前記剛性止めブロックを挿通して外部に露出することを特徴とする、請求項７に記載のトルク値表示レンチ。
【請求項９】
前記トルクロッドの前記第２の端は、中央部にやや凹むハンドルを有することを特徴とする、請求項８に記載のトルク値表示レンチ。
【請求項１０】
前記トルクロッドの前記第２の端はハンドルを有し、前記ハンドルは、前記反時計方向側区域に位置する二つの凹み部と、前記時計方向側区域に位置し前記本体へ延びる受け区と、を有することを特徴とする、請求項８に記載のトルク値表示レンチ。
【請求項１１】
前記表示装置は、前記トルクロッドに設けられている歯付きブロックを有し、目盛を有するダイヤルは前記ケースに旋回可能に設けられており、前記ダイヤルは、前記歯付きブロックと噛合うギアを有することを特徴とする、請求項７に記載のトルク値表示レンチ。
【請求項１２】
前記表示装置は、更に、前記ケースの末端と前記ダイヤルとの間をカバーするマスクを有し、前記マスクは、前記ダイヤルの目盛に対応する透視部を有することを特徴とする、請求項１１に記載のトルク値表示レンチ。
【請求項１３】
前記歯付きブロックの歯面で形成される半径は、少なくとも前記ギアの半径の２倍より大きいことを特徴とする、請求項１１に記載のトルク値表示レンチ。
【請求項１４】
前記ダイヤルは、内盤と、外盤と、を有し、前記外盤は、前記内盤の周縁に環設されており、前記外盤と前記内盤とは相対的に回転可能であることを特徴とする、請求項１１に記載のトルク値表示レンチ。
【考案の詳細な説明】
【技術分野】
【０００１】
本考案は、トルク値表示レンチに関する。
【背景技術】
【０００２】
図１に示す微調整トルクレンチは、ハンドル１、作動ロッド２、指針３、作動ヘッド４及び表示片５から構成される。ハンドル１と作動ヘッド４とは、それぞれ作動ロッド２の両端に設けられている。表示片は作動ロッド２に固定されている。指針３は、一端が作動ヘッド４に組み付けられており、他端が表示片５に対応し表示片５に指向する。これにより、ハンドル１に力を加えると、作動ロッド２がトルクを受けて曲がり、指針３が直線状を維持する。ユーザは、指針３が指す表示片５の目盛により、トルクの大きさを読み取り可能である。
【０００３】
図２に示すトルクレンチ１０は、自転車に適用可能であり、本体１１と、測定装置１２と、を備える。本体１１は、ハンドル１３と、駆動ロッド１４と、を有する。ハンドル１３の内部には、複数種のドライバーヘッドを収容可能である。駆動ロッド１４は、一端がハンドル１３に設けられており、他端がボルトなどを駆動する駆動部１５を有する。測定装置１２は、指針１２ａと、表示部材１２ｂと、を備える。指針１２ａは、一端がハンドル１３に組み付けられており、他端が表示部材１２ｂに対応し表示部材１２ｂに指向する。表示部材１２ｂの一端は駆動ロッドに嵌合されている。ユーザがトルクレンチ１０を操作することにより、指針１２ａが変位して表示部材１２ｂの当該トルクに対応する目盛に指向する。これにより、ユーザは、駆動部１５の加えるトルクを読み取り可能である。
【０００４】
図３及び図４に示すトルクレンチ２０は、ハウジング２１と、駆動ロッド２２と、指向部材２３と、を備える。ハウジング２１は、上ハウジング２１ａと下ハウジング２１ｂとから構成され、複数の工具ヘッド２４を収容可能である。駆動ロッド２２の一端はハウジング２１に固定されている。上ハウジング２１ａに表示窓２５が設けられている。表示窓２５の周囲に数値２５ａが標示されている。指向部材２３は、ハウジング２１内に設けられており、一端が指針部２３ａを有する。指針部２３ａは、表示窓２５の内側に位置し、トルクに対応する数値２５ａに指向する。これにより、ユーザは、表示窓２５を透視して指針部２３ａが指向する数値２５ａを読み取って、トルクレンチのトルク値を迅速に把握可能である。
【考案の概要】
【考案が解決しようとする課題】
【０００５】
図１に示すような微調整トルクレンチは、指針３がユーザを傷付けやすく、横に設けられている表示片５の占めるスペースが大きいため、携帯及び収納が便利ではない。
図２に示すようなトルクレンチ１０は、指針１２ａがユーザを傷付けやすく、全体がＴ字形を呈し、占めるスペースが大きく、携帯及び収納が容易ではない。
図３及び図４に示すようなトルクレンチ２０は、外部に露出する指針がなくなるが、全体がＴ字形を呈し、占めるスペースが大きく、携帯及び収納が容易ではない。
上記の各トルクレンチは、指針の旋回可能な角度が小さいため、標示可能な目盛の数量が多くなく、ユーザはトルクの大きさを容易に読み取ることができない。
【０００６】
本考案の目的は、全体の外形がほぼ直線状を呈し、占めるスペースが小さく、携帯及び収納が容易となるトルク値表示レンチを提供することにある。
【課題を解決するための手段】
【０００７】
本考案のトルク値表示レンチによると、回転センターラインに垂直であり、回転センターラインを通過しトルク値表示区域を反時計方向側区域と時計方向側区域とに分ける半径方向ライン、回転センターラインを中心として工作物を駆動して旋回させることが可能な引き部、及び、引き部と連接する支持部、を有する本体と、
支持部と連接する第１の端、及び、引き部の回転センターラインから離れた方向に位置し、第１の端との間に反時計方向側区域に位置する軸心線を有する変形部が形成され、ユーザが引くと変形部が反時計方向側区域から時計方向側区域へ弾性的に曲がる第２の端、を有するトルクロッドと、
本体とトルクロッドとの間に位置し、トルクロッドの変形部が反時計方向側区域から時計方向側区域へ弾性的に曲がるときにユーザがトルク値を読み取り可能である表示装置と、を備えることを特徴とする。
【０００８】
本考案のトルク値表示レンチによると、変形部の軸心線は、本体の半径方向ラインに重ならないように平行し、反時計方向側区域に位置することを特徴とする。
【０００９】
本考案のトルク値表示レンチによると、支持部は、半径方向ラインに対して偏心穴を有し、偏心穴の軸心線は反時計方向側区域に位置し、トルクロッドの第１の端は偏心穴に結合されていることを特徴とする。
【００１０】
本考案のトルク値表示レンチによると、トルクロッドは直線状を呈することを特徴とする。
【００１１】
本考案のトルク値表示レンチによると、支持部は、更に、偏心穴と連接する拡大溝を有し、拡大溝により、トルクロッドは、反時計方向側区域から時計方向側区域へ弾性的に曲がり可能であることを特徴とする。
【００１２】
本考案のトルク値表示レンチによると、支持部は、引き部と一体であり、半径方向ラインに沿って延び、半径方向ラインに沿って延びる長さが引き部の半径方向ラインに沿って延びる長さより長く、又は同じであり、引き部は、一方向爪車、方向切替爪車、開口端、又はソケットであり、支持部とトルクロッドの間には、更に、位置決め部材が設けられていることを特徴とする。
【００１３】
本考案のトルク値表示レンチによると、本体は、更に、中空なケースを有し、ケースは、支持部を覆うように半径方向ラインに沿って延び、トルクロッドの第２の端は、ケースから露呈し、表示装置は、ケースに設けられており、トルクロッドの変形部と連接することを特徴とする。
【００１４】
本考案のトルク値表示レンチによると、ケースの引き部から遠い側の端部に剛性止めブロックが設けられており、剛性止めブロックは案内溝を有し、トルクロッドの第２の端は、剛性止めブロックを挿通して外部に露出することを特徴とする。
【００１５】
本考案のトルク値表示レンチによると、トルクロッドの第２の端は、中央部にやや凹むハンドルを有することを特徴とする。
【００１６】
本考案のトルク値表示レンチによると、トルクロッドの第２の端はハンドルを有し、ハンドルは、反時計方向側区域に位置する二つの凹み部と、時計方向側区域に位置し本体へ延びる受け区と、を有することを特徴とする。
【００１７】
本考案のトルク値表示レンチによると、表示装置は、トルクロッドに設けられている歯付きブロックを有し、目盛を有するダイヤルはケースに旋回可能に設けられており、ダイヤルは、歯付きブロックと噛合うギアを有することを特徴とする。
【００１８】
本考案のトルク値表示レンチによると、表示装置は、更に、ケースの末端とダイヤルとの間をカバーするマスクを有し、マスクは、ダイヤルの目盛に対応する透視部を有することを特徴とする。
【００１９】
本考案のトルク値表示レンチによると、歯付きブロックの歯面で形成される半径は、少なくともギアの半径の２倍より大きいことを特徴とする。
【００２０】
本考案のトルク値表示レンチによると、ダイヤルは、内盤と、外盤と、を有し、外盤は、内盤の周縁に環設されており、外盤と内盤とは相対的に回転可能であることを特徴とする。
【００２１】
本考案のトルク値表示レンチによれば、次のような効果がある。
（１）ユーザは、トルク値を迅速に読み取ることが可能である。
【００２２】
（２）トルクロッドが本体に対して偏心するように設けられているため、操作の過程中に、トルクロッドが本体の反時計方向側区域から時計方向側区域へ引かれるため、全体の外形がほぼ直線状を呈し、占めるスペースが小さく、携帯及び収納が容易となる。
【図面の簡単な説明】
【００２３】
【図１】従来の微調整トルクレンチの構造を示す斜視図である。
【図２】従来のトルクレンチを示す斜視図である。
【図３】従来の別のトルクレンチを示す斜視図である。
【図４】図３に示すトルクレンチの構造を示す分解斜視図である。
【図５】第一実施形態に係るトルク値表示レンチを示す平面図である。
【図６】第一実施形態に係るトルク値表示レンチを示す縦断面図である。
【図７】第一実施形態に係るトルク値表示レンチを示す横断面図である。
【図８】第一実施形態に係るトルク値表示レンチを示す断面図であって、トルクロッドが引かれていない状態を示す。
【図９】第一実施形態に係るトルク値表示レンチを示す断面図であって、トルクロッドが引かれている状態を示す。
【図１０】第二実施形態に係るトルク値表示レンチを示す平面図である。
【図１１】図９の一部を示す拡大断面図である。
【考案を実施するための形態】
【００２４】
以下、本考案の実施の形態を図面に基づいて説明する。
（第一実施形態）
【００２５】
図５から図１１を参照する。本実施形態に係るトルク値表示レンチ１００は、本体３０と、トルクロッド４０と、表示装置５０と、を備える。
【００２６】
本体３０は、引き部３１と、引き部３１と連接する支持部３２と、を有する。引き部３１は、一方向爪車、方向切替爪車、開口端、又はソケットなどである。引き部３１は、回転センターラインＸを中心として旋回可能であり、工作物を駆動して旋回させることが可能である。本体３０は、回転センターラインＸに垂直し回転センターラインＸを通過する半径方向ラインＬを有する。半径方向ラインＬにより、トルク値表示レンチ１００は反時計方向側区域Ａ１と時計方向側区域Ａ２とに分けられる。
【００２７】
本実施形態では、支持部３２は、本体３０と一体形成され、半径方向ラインＬに沿って延び、半径方向ラインＬに沿って延びる長さが、引き部３１の半径方向ラインＬに沿って延びる長さより長く、又は同じである。一方、本体３０の引き部３１は、更に、第１の辺３１ａと、第１の辺３１ａの反対側に位置する第２の辺３１ｂと、を有する。支持部３２は、半径方向ラインＬに対して偏心穴３２１を有する。偏心穴３２１の軸心線は反時計方向側区域Ａ１に位置する。支持部３２は、更に、偏心穴３２１と連接する拡大溝３２２を有する。拡大溝３２２は、偏心穴３２１より引き部３１から遠く離れる。
【００２８】
トルクロッド４０は、直線状を呈し、第１の端４１と、第２の端４２と、を有する。第１の端４１は支持部３２と連接する。本実施形態では、第１の端４１が支持部３２の偏心穴３２１と結合する。拡大溝３２２により、トルクロッド４０は反時計方向側区域Ａ１から時計方向側区域Ａ２へ弾性的に曲がり可能である。トルクロッド４０の第２の端４２は、引き部３１の回転センターラインＸから遠く離れる。第１の端４１と第２の端４２との間に変形部４３が形成される。変形部４３は軸心線Ｃを有する。変形部４３の軸心線Ｃは、本体３０の半径方向ラインＬに重ならないように平行し、トルク値表示レンチ１００の反時計方向側区域Ａ１に位置する。
【００２９】
ユーザは第２の端４２を引き可能である。第２の端４２が引かれると、変形部４３がトルク値表示レンチ１００の反時計方向側区域Ａ１から時計方向側区域Ａ２へ弾性的に曲がる。トルク値表示レンチ１００が利用されていないときには、トルクロッド４０が第１の辺３１ａと第２の辺３１ｂとを超えない。これにより、トルク値表示レンチ１００は、全体の外形がほぼ直線状を呈し、占めるスペースが小さく、携帯及び収納が容易となる。
【００３０】
表示装置５０は、本体３０とトルクロッド４０との間に位置する。ユーザがトルクロッド４０の第２の端４２を引くと、トルクロッド４０の変形部４３が本体３０の反時計方向側区域Ａ１から本体３０の時計方向側区域Ａ２へ弾性的に曲がる。このとき、ユーザはトルク値を読み取り可能である。
【００３１】
本体３０は、更に、中空なケース６０を有する。ケース６０は、支持部３２を覆うように半径方向ラインＬに沿って延びる。表示装置５０は、ケース６０に設けられており、トルクロッド４０の変形部４３と連接する。これにより、トルクを表示可能である。ケース６０の引き部３１から遠ざかった端に剛性止めブロック６１が設けられている。剛性止めブロック６１は案内溝６２を有する。トルクロッド４０の第２の端４２は、剛性止めブロック６１を挿通して外部に露出する。図６及び図７を参照する。図７において、表示装置５０が省略され、トルクロッド４０と剛性止めブロック６１の相対的な位置が示される。トルクロッド４０を正方向へ引くと、案内溝６２により、トルクロッド４０は移動可能である。なお、トルクロッド４０を逆方向へ引くと、止め効果が極めて良い。
【００３２】
本実施形態では、表示装置５０は、歯付きブロック５１と、ダイヤル５２と、ギア５３と、マスク５４と、を有する。歯付きブロック５１は、トルクロッド４０に設けられており、第２の端４２に近接し、その歯面が円弧状を呈し、支持部３２に面する。トルク値を表示する目盛を有するダイヤル５２は、ケース６０に旋回可能に設けられている。ギア５３は、ダイヤル５２の底面に設けられており、ケース６０内に延び込み、歯付きブロック５１と噛合う。歯付きブロック５１の歯面で形成される半径は、少なくともギア５３の半径の２倍より大きい。マスク５４は、ケース６０の末端とダイヤル５２との間をカバーする。マスク５４は、ダイヤル５２の目盛に対応する透視部５６及び矢印を有する。トルクロッド４０を引くと、歯付きブロック５１がギア５３を回転させて、ダイヤル５２がケース６０に対して旋回することにより、ユーザは、透視部５６を直視して、引き部３１の工作物に加えるトルクの大きさを読み取り可能である。
【００３３】
図８を参照する。本実施形態に係るトルク値表示レンチ１００は、更に、位置決め部材７０を備える。位置決め部材７０は、支持部３２とトルクロッド４０との間に設けられている。位置決め部材７０は、螺子またはピンであり、ケース６０と支持部３２とを貫通し、トルクロッド４０の第１の端４１に押付けるためのものである。位置決め部材７０により、トルクロッド４０は緩み難くなる。
【００３４】
図８を参照する。トルクロッド４０の第２の端４２は、更に、ハンドル４４を有する。ハンドル４４の中央部にはやや凹む。これにより、操作の過程中に、ユーザは、力を集中して引き部３１に伝達可能であり、表示装置５０がトルク値を精確に表示可能である。
【００３５】
次に、本実施形態に係るトルク値表示レンチ１００の使用方法を説明する。図９を参照する。まず、ボルトなどの工作物に引き部３１を嵌合して、トルクロッド４０の第２の端４２のハンドル４４に力を加えて、回転センターラインＸを中心としてハンドル４４を引く。これにより、トルクロッド４０の変形部４３が本体３０の反時計方向側区域Ａ１から時計方向側区域Ａ２へ弾性的に曲がり、加える力が工作物に伝達して工作物が駆動される。操作の過程中に、加える力が大きいほど、トルクロッド４０の第２の端４２が半径方向ラインＬを超える。トルクロッド４０が弾性的に曲がると、歯付きブロック５１がギア５３を回転させて、表示装置５０のダイヤル５２が回転される。これにより、ユーザは、マスク５４の透視部５６を直視して、工作物に加えるトルクの大きさを即時に把握可能となり、工作物に加えるトルクの大きさを制御可能である。
【００３６】
本実施形態では、歯付きブロック５１の歯面で形成される半径は、少なくともギア５３の半径の２倍より大きいため、トルク目盛が数倍に拡大される効果を有し、ユーザは容易に読み取り可能である。例えば、半径方向ラインＬに対してトルクロッド４０を１０度に引くと、ギア５３が３／４回転（２７０度）に回転するため、トルク目盛が２７倍に拡大される。このように、ユーザは、操作中のトルクの大きさを容易に読み取り可能となる。
【００３７】
（第二実施形態）
図１０及び図１１を参照する。本実施形態の第一実施形態と同じ部材は、同じ部品名称及び符号を付けて、その詳細な説明を省略する。本実施形態の第一実施形態と相違する点は、ハンドル４４が人間工学に合う外形を有し、ハンドル４４の表示装置５０の透視部５６と同じ側に凹み区４４１が二つ設けられており、凹み区４４１が反時計方向側区域Ａ１に位置し、二つの凹み区４４１にユーザの中指と人差し指とをそれぞれ置き可能であり、ハンドル４４は、更に、透視部５６の反対側に受け区４４２が設けられており、本体３０へ延びる受け区４４２に親指を置き可能であることにある。これにより、操作中に、ユーザの指が表示装置５０のマスク５４に接触することにより、表示装置５０の表示するトルク値の精度が影響されることを回避可能である。
【００３８】
表示装置５０のダイヤル５２は、図１１に示すように、内盤５２１と、外盤５２２と、内盤５２１と外盤５２２との間に位置する抵抗子５２３と、を有する。抵抗子５２３は、ＯリングまたはＣ型バックルである。操作中に、抵抗子５２３による抵抗により、内盤５２１と外盤５２２とがギア５３と共に回転する。なお、再校正することが必要な場合には、内盤５２１に対して外盤５２２を旋回することにより、外盤５２２の目盛をマスクの矢印に対してゼロ点調整することが可能である。
【００３９】
このように、ユーザは、トルク値を迅速に読み取ることが可能である。そしてトルクロッド４０が本体３０に対して偏心するように設けられており、操作の過程中に、トルクロッド４０が本体３０の反時計方向側区域Ａ１から時計方向側区域Ａ２へ引かれるため、トルク値表示レンチ１００全体の外形がほぼ直線状を呈し、占めるスペースが小さく、携帯及び収納が容易となる。
【００４０】
また、トルク値表示レンチ１００は、占めるスペースが小さく、横に突出する構造がないため、操作中に、周りと衝突することを回避可能であり、利用が極めて便利である。
【００４１】
このように、本考案の特定の実施形態を参照して説明したが、それらの実施形態は、説明のためだけのものであり、本考案を限定するものではなく、この分野に通常の知識を有する者には、本考案の要旨および実用新案登録請求の範囲を逸脱することなく、ここで開示された実施形態に変更、追加、または、削除を施してもよいことがわかる。
【符号の説明】
【００４２】
１  ハンドル
２  作動ロッド
３  指針
４  作動ヘッド
５  表示片
１０  トルクレンチ
１１  本体
１２  測定装置
１２ａ  指針
１２ｂ  表示部材
１３  ハンドル
１４  駆動ロッド
１５  駆動部
２０  トルクレンチ
２１  ハウジング
２２  駆動ロッド
２３  指向部材
２３ａ  指針部
２４  工具ヘッド
２５  表示窓
２５ａ  数値
３０  本体
３１  引き部
３１ａ  第１の辺
３１ｂ  第２の辺
３２  支持部
４０  トルクロッド
４１  第１の端
４２  第２の端
４３  変形部
４４  ハンドル
５０  表示装置
５１  歯付きブロック
５２  ダイヤル
５３  ギア
５４  マスク
５６  透視部
６０  ケース
６１  剛性止めブロック
６２  案内溝
７０  位置決め部材
１００  トルク値表示レンチ
３２１  偏心穴
３２２  拡大溝
４４１  凹み区
４４２  受け区
５２１  内盤
５２２  外盤
５２３  抵抗子
Ａ１  反時計方向側区域
Ａ２  時計方向側区域
Ｃ  軸心線
Ｌ  半径方向ライン
Ｘ  回転センターライン
【図１】
0003211263.tif 000003
【図２】
0003211263.tif 000004
【図３】
0003211263.tif 000005
【図４】
0003211263.tif 000006
【図５】
0003211263.tif 000007
【図６】
0003211263.tif 000008
【図７】
0003211263.tif 000009
【図８】
0003211263.tif 000010
【図９】
0003211263.tif 000011
【図１０】
0003211263.tif 000012
【図１１】
0003211263.tif 000013